(57)【特許請求の範囲】
【請求項１】
放送局が行うデータ放送サービス方法であって、
放送局側では、
災害情報、ニュース、交通情報、レストラン情報、ショッピング情報などの受信者の嗜好に関係する様々なジャンルの情報であるジャンル情報を当該ジャンル情報の位置情報とともにジャンル毎にまとめて成るジャンル毎の文書と、
前記ジャンル情報を受信側の表示装置上で画面表示するための態様を示す文書を放送し、
受信装置側では、
予め受信者が嗜好するジャンルを登録しておき、
登録してあるジャンルに相当するジャンル情報が前記受信したジャンル毎の文書中に存在するか否かを判定し、
登録してあるジャンルに相当するジャンル情報が前記受信したジャンル毎の文書中に存在する場合には、外部の位置情報提供手段から取得した該受信装置を所持する受信者の自己位置情報と、前記比較判定により抽出されたジャンル毎の文書に含まれるジャンル情報の位置情報とを比較し、自己位置周辺のジャンル情報の有無を判断し、
この判断結果に基づいて、前記ジャンル情報を受信側の表示装置上で画面表示するための態様を示す文書にしたがって表示する一方、登録してあるジャンルに相当するジャンル情報が前記受信したジャンル毎の文書中に存在しない場合には、通常のデータ放送番組の表示を継続する処理を実行し、
前記ジャンル毎の文書が緊急性を示す情報を伴った災害情報であるときには、前記ジャンル情報を受信側の表示装置上で画面表示するための態様を示す文書は災害地向け文書と災害地以外向け文書とから成り、かつ
予め登録してある受信者が嗜好するジャンルに関わらず、前記緊急性を示す情報を伴った災害情報が示す位置情報と前記受信装置を所持する受信者の自己位置情報とを比較し、
比較の結果、自己位置に関係する情報が前記災害情報中に存在する場合には、前記災害地向け文書に基づいて災害情報を表示し、比較の結果、自己位置に関係する情報が前記災害情報中に存在しない場合には、前記災害地以外向け文書に基づいた情報を表示する、
ことを特徴とする位置連動型データ放送サービス方法。
【請求項２】
放送局におけるデータ放送サービスの一貫として、災害情報、ニュース、交通情報、レストラン情報、ショッピング情報などの受信者の嗜好に関係する様々なジャンルの情報であるジャンル情報を当該ジャンル情報の位置情報とともにジャンル毎にまとめて成るジャンル毎の文書と、ジャンル情報を受信側の表示装置上で画面表示するための態様を示す文書とから成るデータ放送を受信する受信手段と、
受信したデータ放送を表示するとともに、予め登録してある受信者が嗜好するジャンルと受信したジャンル毎の文書とを比較判定する比較判定手段と、
外部の位置情報提供手段から受信者の自己位置情報を取得する位置情報取得手段と、
前記比較判定して抽出したジャンル情報の位置情報と、前記位置情報提供手段から取得した自己位置情報とを比較して、自己位置周辺のジャンル情報の有無を判断する判断手段と、
この判断結果に基づいて、前記ジャンル情報を受信側の表示装置上で画面表示するための態様を示す文書にしたがって表示する表示手段と、を備え、
自己位置周辺のジャンル情報の有無を判断した結果、自己位置周辺にジャンル情報がある場合には、前記ジャンル情報を受信側の表示装置上で画面表示するための態様を示す文書を起動してジャンル情報を表示し、自己位置周辺にジャンル情報がない場合には、通常のデータ放送番組の表示を継続する一方、
前記ジャンル毎の文書が緊急性を示す情報を伴った災害情報であるときには、前記受信手段で受信する、前記ジャンル情報を受信側の表示装置上で画面表示するための態様を示す文書は災害地向け文書と災害地以外向け文書とから成り、
前記判断手段は、予め登録してある受信者が嗜好するジャンルに関わらず、前記受信者の自己位置情報と災害情報の位置情報とを比較して、自己位置周辺の災害情報の有無を判断し、前記表示手段は、自己位置が災害地域に含まれる場合には、災害地向け文書を起動して表示装置上で表示し、自己位置が災害地域に含まれない場合には、通常のデータ放送番組の表示を継続する、
ことを特徴とする受信装置。
【請求項３】
請求項２に記載の受信装置において、
自己位置周辺に複数のジャンルのジャンル情報が存在する場合には、一覧表で一括表示した後に、前記ジャンル情報の内容を表示する手段を更に備えることを特徴とする受信装置。
【発明の詳細な説明】
【０００１】
【発明の属する技術分野】
本発明は、衛星や地上のデジタル放送におけるデータ放送サービスの一環として、緯度経度や郵便番号等による位置情報を含むジャンル情報を放送する位置連動型データ放送サービス方法及びそのデータ放送を受信する受信装置に関する。
【０００２】
［概要］
本発明は、放送局が、データ放送サービスの一環として位置情報を含むジャンル情報を、受信装置がその受信装置の位置情報とジャンル情報に含まれる位置情報とに基づき効率的に必要な情報のみが取り出せるようにして放送する。受信装置では、受信したジャンル情報に含まれる位置情報と受信装置の位置情報とを比較し、受信者への必要性、嗜好を判断し、受信者に必要な情報は自動的にデータ放送として表示し、受信者に必要でない情報は表示しないようにする位置連動型のデータ放送サービスに関する。
【０００３】
具体的には、放送局が、災害発生時にデータ放送サービスの一環として放送するジャンル情報を、受信装置においてその受信装置の位置情報とジャンル情報に含めた位置情報とが比較されたとき、その比較結果に応じて２種類以上のＢＭＬ(Broadcasting Markup Language)文書に分岐する文書情報として放送する。受信装置では、受信者の位置情報を外部の位置情報提供手段または予め記憶されている郵便番号から取得し、取得した受信者の位置情報と受信したジャンル情報に含まれる位置情報とを比較し、その比較結果に応じて２種類以上のＢＭＬ文書の１つに分岐することにより、情報の表示・非表示を行う。
【０００４】
これにより、ジャンル情報として例えば災害情報をデータ放送の一部として放送する場合、放送局では、災害地向けＢＭＬ文書と災害地以外向けＢＭＬ文書とに分岐するＢＭＬ文書情報として位置情報を付けて放送する。受信装置では、受信者の位置情報と受信した災害情報に含まれる位置情報とを比較し、災害地に含まれるときは災害地向けＢＭＬ文書を起動して避難情報等の災害情報の内容を表示し、災害地に含まれないときは前記災害地以外向けＢＭＬ文書を起動して災害情報発生の通知など通常のデータ放送の受信・表示を行うことができる。
【０００５】
また、ジャンル情報として例えばニュース、交通情報、レストラン情報、ショッピング情報など、受信者の嗜好に関係する情報をデータ放送の一部として放送する場合、放送局では、ジャンル毎のＢＭＬ文書を用意し、それに位置情報を付けて放送する。受信装置では、受信者の嗜好の情報を予めジャンルとして登録し、自己の位置情報と登録されたジャンル情報から、送られてくる情報の位置情報、ジャンル情報を自動的に検索することにより、受信者の位置と嗜好に適した最適の情報を提示できるＢＭＬ文書を選択し、表示することができる。
【０００６】
【従来の技術】
図１２は、従来の現在位置情報を利用したデータ放送サービスを説明する図である。従来、現在位置情報を利用したデータ放送サービスとして、郵便番号を用いたサービスが知られている。
【０００７】
図１２において、このようなサービスでは、放送局（ａ）は、位置情報プレーン１２１として示すように、任意の位置で個々の情報▲１▼〜▲９▼を放送している。受信装置（ｂ）では、受信者が郵便番号に基づき自己の位置Ｐを中心とするある一定範囲内にある情報▲５▼▲７▼▲８▼を抽出し、画面１２２に表示させる。そして、受信者は、この画面１２２から、▲５▼▲７▼▲８▼の個々の情報を選択し、情報▲５▼の内容１２３、情報▲７▼の内容１２４、情報▲８▼の内容１２５をそれぞれ個別に表示させ、自己に必要な情報を得るようにしている。
【０００８】
【発明が解決しようとする課題】
ところで、今後、衛星や地上のデジタル放送の開始により、例えば災害時には、災害地域の受信者のみに、より適切で詳細な情報を放送することが可能となる。また、災害情報の他、ニュース、交通情報、レストラン情報、ショッピング情報等、受信者の嗜好に関係するジャンルの情報も併せて放送するサービスが可能となる。
【０００９】
この場合、上記のように受信装置を受信者が操作して情報を選択する方法では、利便性、操作性、迅速性等の面で妥当ではなく、受信装置自体が受信者への必要性、嗜好を判断し、それぞれの受信者に適したデータ放送の情報を自動的に表示するか表示しないかが行えるようにすることが望まれる。
【００１０】
このような受信者の利便性、操作性、そして人命までも考慮した、より高度なデータ放送サービスを実現するには、放送局側及び受信側において、次のような機能を備える必要があり、それをどのように実現するかが問題である。
【００１１】
即ち、放送局側は、ジャンル情報を受信者の位置情報と関連付けて放送する必要があるので、（１）位置情報を含むジャンル情報を効率的に符号化する方法、及び（２）受信装置が位置情報を含むジャンル情報から自己の位置情報を元に効率的に必要なジャンル情報のみを取り出せるようにして放送する方法の開発が必要である。
【００１２】
同時に、受信側では、（３）受信した位置情報付きのジャンル情報を受信者の位置情報との関連で、受信者への必要性、嗜好を判断し、自動的にデータ放送としてジャンル情報を表示させる機能、及び（４）受信者に必要でない情報の場合は表示をさせない機能を備えた受信装置が必要である。
【００１３】
本発明は、このような事情に鑑みてなされたものであり、受信者の利便性、操作性、そして人命までも考慮した、より高度なデータ放送サービスが可能となる位置連動型データ放送サービス及び受信装置を提供することを目的とする。
【００１４】
【課題を解決するための手段】
上記目的を達成するために、請求項１に記載の位置連動型データ放送サービス方法は、放送局が行うデータ放送サービス方法であって、放送局側では、災害情報、ニュース、交通情報、レストラン情報、ショッピング情報などの受信者の嗜好に関係する様々なジャンルの情報であるジャンル情報を当該ジャンル情報の位置情報とともにジャンル毎にまとめて成るジャンル毎の文書と、前記ジャンル情報を受信側の表示装置上で画面表示するための態様を示す文書を放送し、受信装置側では、予め受信者が嗜好するジャンルを登録しておき、登録してあるジャンルに相当するジャンル情報が前記受信したジャンル毎の文書中に存在するか否かを判定し、登録してあるジャンルに相当するジャンル情報が前記受信したジャンル毎の文書中に存在する場合には、外部の位置情報提供手段から取得した該受信装置を所持する受信者の自己位置情報と、前記比較判定により抽出されたジャンル毎の文書に含まれるジャンル情報の位置情報とを比較し、自己位置周辺のジャンル情報の有無を判断し、この判断結果に基づいて、前記ジャンル情報を受信側の表示装置上で画面表示するための態様を示す文書にしたがって表示する一方、登録してあるジャンルに相当するジャンル情報が前記受信したジャンル毎の文書中に存在しない場合には、通常のデータ放送番組の表示を継続する処理を実行し、前記ジャンル毎の文書が緊急性を示す情報を伴った災害情報であるときには、前記ジャンル情報を受信側の表示装置上で画面表示するための態様を示す文書は災害地向け文書と災害地以外向け文書とから成り、かつ予め登録してある受信者が嗜好するジャンルに関わらず、前記緊急性を示す情報を伴った災害情報が示す位置情報と前記受信装置を所持する受信者の自己位置情報とを比較し、比較の結果、自己位置に関係する情報が前記災害情報中に存在する場合には、前記災害地向け文書に基づいて災害情報を表示し、比較の結果、自己位置に関係する情報が前記災害情報中に存在しない場合には、前記災害地以外向け文書に基づいた情報を表示する、ことを特徴としている。
【００１５】
この方法によれば、放送局は、災害情報やニュース、交通情報、レストラン情報、ショッピング情報等の受信者の嗜好に関係にするジャンルの情報を、ジャンル毎の文書として位置情報とともに放送することができる。したがって、受信者は、予め希望する嗜好をジャンルとして用意しておくことにより、自己の嗜好に合ったジャンル情報を簡単に取得できるようになる。
【００１７】
この方法によれば、放送局は、災害が発生したとき、災害情報を位置情報が一致した受信者にのみ提示する災害地向け文書として放送することができる。したがって、位置情報が一致した受信者は、災害地向け文書により発生した災害に関する情報を遺漏なく取得することができ、適切な措置等を迅速に採ることが可能となる。一方、位置情報が一致しない受信者は、通常通りデータ放送の視聴を継続することができる。
【００２０】
請求項２に記載の受信装置は、放送局におけるデータ放送サービスの一貫として、災害情報、ニュース、交通情報、レストラン情報、ショッピング情報などの受信者の嗜好に関係する様々なジャンルの情報であるジャンル情報を当該ジャンル情報の位置情報とともにジャンル毎にまとめて成るジャンル毎の文書と、ジャンル情報を受信側の表示装置上で画面表示するための態様を示す文書とから成るデータ放送を受信する受信手段と、受信したデータ放送を表示するとともに、予め登録してある受信者が嗜好するジャンルと受信したジャンル毎の文書とを比較判定する比較判定手段と、外部の位置情報提供手段から受信者の自己位置情報を取得する位置情報取得手段と、前記比較判定して抽出したジャンル情報の位置情報と、前記位置情報提供手段から取得した自己位置情報とを比較して、自己位置周辺のジャンル情報の有無を判断する判断手段と、この判断結果に基づいて、前記ジャンル情報を受信側の表示装置上で画面表示するための態様を示す文書にしたがって表示する表示手段と、を備え、自己位置周辺のジャンル情報の有無を判断した結果、自己位置周辺にジャンル情報がある場合には、前記ジャンル情報を受信側の表示装置上で画面表示するための態様を示す文書を起動してジャンル情報を表示し、自己位置周辺にジャンル情報がない場合には、通常のデータ放送番組の表示を継続する一方、
前記ジャンル毎の文書が緊急性を示す情報を伴った災害情報であるときには、前記受信手段で受信する、前記ジャンル情報を受信側の表示装置上で画面表示するための態様を示す文書は災害地向け文書と災害地以外向け文書とから成り、前記判断手段は、予め登録してある受信者が嗜好するジャンルに関わらず、前記受信者の自己位置情報と災害情報の位置情報とを比較して、自己位置周辺の災害情報の有無を判断し、前記表示手段は、自己位置が災害地域に含まれる場合には、災害地向け文書を起動して表示装置上で表示し、自己位置が災害地域に含まれない場合には、通常のデータ放送番組の表示を継続する、ことを特徴としている。
【００２１】
この構成によれば、受信者は、予め希望する嗜好をジャンルとして登録しておき、受信装置は、データ放送を受信している際に、ジャンル情報を受信すると、自己の位置情報と登録されたジャンル情報に基づき、放送されているジャンル情報とその位置情報とを自動的に検索できるので、受信者の位置と嗜好に適したジャンル情報を表示することができる。
【００２７】
この構成によれば、受信装置は、データ放送を受信している際に、災害情報を受信すると、自己の位置情報を任意の方法で取得し、取得した自己の位置情報に基づき災害地向け文書と災害地以外向け文書の何れかを受信することができ、それぞれの受信者の状況により最適なデータ放送の情報を表示することができる。具体的には、災害地区に該当する場合は避難情報等のデータ放送を自動的に受信して、災害発生に対して適切に対応することができるようになる。また、災害地区に該当しない場合は通常のデータ放送を自動的に受信することができる。
【００２８】
請求項３記載の受信装置は、請求項２記載の受信装置において、自己位置周辺に複数のジャンルのジャンル情報が存在する場合には、一覧表で一括表示した後に、前記ジャンル情報の内容を表示する手段を更に備えることを特徴としている。
【００２９】
この構成によれば、受信者の位置情報から取得される情報が複数のジャンルで存在する場合には、一覧表で一括表示することができるので、受信者は、適切なジャンルの情報を選択することができる。
【００３２】
【発明の実施の形態】
＜本発明の原理＞
実施の形態の説明に先立って本発明の原理について説明する。図１は、本発明の位置連動型データ放送サービス方法を説明する原理図である。図１において、本発明では、放送局（ａ）は、データ放送サービスの一環として位置情報を含むジャンルの情報を、受信装置（ｂ）がその受信装置の位置情報とジャンル情報に含まれる位置情報とに基づき効率的に必要な情報のみが取り出せるようにして放送する。
【００３３】
ここに、ジャンル情報とは、放送局が予め当該受信装置用に取り決めているものであり、災害情報の他、ニュース、交通情報、レストラン情報、ショッピング情報等、受信者の嗜好に関係する様々な情報からなるものである。
【００３４】
受信装置にて受信者に提示する情報は、ＢＭＬ文書の形式で放送される。これにより、受信装置において２種類以上のＢＭＬ文書に分岐しその中の１つにより情報の提示がなされるようになっている。
【００３５】
放送局が付与する位置情報は、個々の情報が存在する場所の位置情報である。この位置情報とその関連情報は、ＸＭＬ(eXtensible Markup Language)もしくはバイナリで符号化して放送する場合と、符号化せずに上記ＢＭＬ文書に含めて放送する場合とがある。
【００３６】
位置情報プレーン１内に示す情報▲１▼〜▲９▼は、そのようにして放送された情報であり、映像・音声・静止画・動画等で構成されている。
【００３７】
受信装置（ｂ）は、データ放送を表示するＢＭＬブラウザを備えている。このＢＭＬブラウザは、位置情報を含むＸＭＬ文書ファイル、もしくはバイナリファイルの情報を自己の位置情報と比較してフィルタリングを行い、取り出すことのできるＡＰＩ(Application Program Interface）等を備えている場合がある。
【００３８】
また、受信装置（ｂ）は、自己の位置情報を、ＧＰＳ、携帯電話機、郵便番号等から取り込み、緯度経度情報として、または、地図をメッシュ状に分割したメッシュ情報として管理している。そして、そのような自己の位置情報と受信したＸＭＬ文書の位置情報とを比較し、フィルタリングを行う。つまり、２種類以上のＢＭＬ文書に分岐しその中の１つにより情報の提示がなされる。
【００３９】
このフィルタリングする方法として、自己位置を中心にある一定の距離を半径とする同心円状の情報をフィルタリングする手法、または、自己位置を中心にある一定距離離れたメッシュ状の範囲の情報をフィルタリングする手法を用いるようになっている。
【００４０】
図１では、受信装置（ｂ）は、自己位置Ｐを中心にある一定の距離を半径とする同心円状の情報をフィルタリングする方法が示されている。情報▲７▼▲８▼が自己位置Ｐに一番近い同心円内にあり、情報▲４▼▲５▼▲９▼がその次に近い同心円内にあり、情報▲１▼▲２▼▲３▼▲６▼が最も遠い位置にあることが判別されることが示されている。
【００４１】
受信装置（ｂ）は、自己位置Ｐに一番近い同心円内にある情報▲７▼▲８▼に必要な情報があると判断したときは、データ放送画面２に示すように、「近くの情報」と、「情報▲７▼▲８▼の詳細」とを表示する。
【００４２】
また、一番近い同心円内にある情報▲７▼▲８▼に必要な情報はないが、次に近い同心円内にある情報▲４▼▲５▼▲９▼に必要な情報があると判断したときは、データ放送画面３に示すように、「▲４▼▲５▼▲９▼の情報があります」とその範囲に情報が存在することを知らせる表示を行う。受信者は、スクロールすることにより、その情報▲４▼▲５▼▲９▼の詳細を見ることができる。
【００４３】
さらに、自己位置Ｐと関係が少ない位置にのみある情報▲１▼▲２▼▲３▼▲６▼については、データ放送画面４に示すように、自動的な表示は行わない。この場合は、受信者は、Ｄａｔａボタンを操作して、データ放送のメニュー画面５を出し、そのメニュー画面５から情報を得ることができるようになっている。
【００４４】
このように、本発明では、受信者の位置情報とジャンル情報の位置情報によって、受信装置が位置情報や受信者への必要性、嗜好を判断し、それぞれの受信者に最も適したデータ放送の情報を自動的に表示する、というより高度なデータ放送サービスが実現できる。
【００４５】
＜発明の実施の形態＞
以下、本発明の実施の形態について、図面を参照して詳細に説明する。なお、以下の実施の形態では、放送局は、位置情報とその関連情報をＸＭＬで符号化したＸＭＬ文書をＢＭＬ文書とともに放送する場合を例に挙げているが、バイナリで符号化しても同様の作用効果が得られる。また、ＸＭＬ文書を使用せずに、位置情報とその関連情報を全て提示用のＢＭＬ文書に含めて送出することも可能である。
【００４６】
［実施の形態１］
図２は、本発明の実施の形態１に係る放送局が放送する放送内容を説明する図である。本実施の形態１では、放送局が、データ放送サービスの一環として位置情報付きの災害情報を放送する位置連動型データ放送サービス方法の例１が示されている。
【００４７】
図２において、放送局２１は、衛星・地上デジタル放送の送信設備２２を用いてデータ放送を行っている。放送局２１がこのデータ放送の一部として送出する災害情報は、ＸＭＬ文書２３とＢＭＬ文書２４とで構成されている。
【００４８】
ＸＭＬ文書２３は、各詳細地域（位置）毎の緯度経度情報と災害情報、関連地図ファイル名等をＸＭＬで符号化した文書である。このとき、それらの情報に関係する静止画、動画等も併せて送出される。
【００４９】
ＢＭＬ文書２４は、Start Up ＢＭＬ文書２５と、災害地域用ＢＭＬ文書２６と、災害地域以外用ＢＭＬ文書２７とで構成されている。Start Up ＢＭＬ文書２５は、受信装置のブラウザを起動するとともに、受信装置に対して自己の位置情報とＸＭＬ文書中の情報の位置情報との比較を行って災害地域用ＢＭＬ文書２６と災害地域以外用ＢＭＬ文書２７とに分岐すべきことを指示する文書である。災害地域用ＢＭＬ文書２６と災害地域以外用ＢＭＬ文書２７は、受信装置においてStart Up ＢＭＬ文書から分岐指示を受けて、実際に情報を提示する文書である。
【００５０】
このように、実施の形態１では、放送局は、災害が発生した場合に、データ放送番組の放送中に任意のタイミングにおいて、災害発生地区向けの災害情報と、災害発生地区以外向けの災害情報とを緯度経度による位置情報付きで放送する。
【００５１】
［実施の形態２］
図３は、本発明の実施の形態２に係る受信装置の構成を示す機能ブロック図である。本実施の形態２では、実施の形態１に係る放送局が災害情報を含ませて放送しているデータ放送を受信する受信装置の構成例が示されている。
【００５２】
図３において、受信装置３１においてデータ放送を表示するＢＭＬブラウザ３２は、位置情報を含むＸＭＬ文書ファイルの情報をフィルタリングして取り出すことのできるＡＰＩを備えている。このＢＭＬブラウザ３２は、ＡＰＩを通してＧＰＳ衛星３３が送信する位置信号から緯度経度情報を取得できるようになっている。
【００５３】
受信装置３１では、受信者が当該番組を選局すると、受信装置内においてフロントエンド処理、トランスストリーム処理、デコード処理等が実施され、その処理された情報がＢＭＬブラウザ３２に渡される。
【００５４】
ＢＭＬブラウザ３２では、Start Up ＢＭＬ文書３４が自動的に表示される。Start Up ＢＭＬ文書３４では、まずＧＰＳ衛星３３の送信信号から現在の位置情報を取得する。次いでその取得した自己の位置情報とＸＭＬ文書に含まれる位置情報とを比較し、ＸＭＬ文書中に自己位置周辺の情報が存在するか否か、つまり自己位置が災害地域に該当するか否かを判断する。その結果、自己位置に関係する情報が存在する場合は、災害地区用ＢＭＬ文書３５を自動的に起動する。一方、自己位置に関係する情報が存在しない場合は、災害地区以外用ＢＭＬ文書３６を自動的に起動する。
【００５５】
災害地区用ＢＭＬ文書３５は、自己位置に関係する詳細情報をＸＭＬ文書からフィルタリングして取得し、必要な情報を表示する。必要により静止画、動画等も表示する。この場合には、視聴していた番組から緊急避難情報の番組へ切り替わり、緊急避難の催促の表示が行われ、災害状況や安否情報の確認ボタンや避難場所の地図画面へ遷移するボタンなどが表示されるようになっている。
【００５６】
一方、災害地区以外用ＢＭＬ文書３６では、災害が発生していることのみ通知するデータ放送を表示する。この場合には、受信者は、番組（映像・音声）を継続して視聴できる。
【００５７】
このように、この実施の形態２に係る受信装置によれば、ＧＰＳ等から取得した自己の位置情報を用いて、災害発生地区に該当する場合は避難情報等のデータ放送を自動的に受信し、災害発生地区に該当しない場合は通常のデータ放送を自動的に受信するように、それぞれの受信者の状況により最適なデータ放送の情報を表示・非表示することができる。
【００５８】
なお、自己の位置情報は、ＧＰＳ衛星を利用する他に、携帯電話等によっても自己の位置情報を取り込むことが可能である。
【００５９】
［実施の形態３］
図４は、本発明の実施の形態３に係る放送局が放送する放送内容を説明する図である。本実施の形態３では、放送局が、データ放送サービスの一環として位置情報付きの災害情報を放送する位置連動型データ放送サービス方法の例２が示されている。なお、図４では、図２と同一構成部分には、同一符号が付されている。
【００６０】
図４において、放送局４１は、衛星・地上デジタル放送の送信設備２２を用いてデータ放送を行っている。放送局２１がこのデータ放送の一部として送出する災害情報は、ＸＭＬ文書２３とＢＭＬ文書４２とで構成されている。
【００６１】
実施の形態１で説明したように、ＸＭＬ文書２３は、各詳細地域（位置）毎の緯度経度情報と災害情報、関連地図ファイル名等をＸＭＬで符号化した文書である。このとき、それらの情報に関係する静止画、動画等も併せて送出される。
【００６２】
この実施の形態３では、ＢＭＬ文書４２は、災害地域用ＢＭＬ文書４３のみで構成されている。災害地域用ＢＭＬ文書４３は、受信装置において自動起動され、災害情報を提示する文書である。
【００６３】
このように、実施の形態３では、放送局は、災害が発生した場合に、データ放送番組の放送中に任意のタイミングにおいて、災害発生地区向けの災害情報を緯度経度による位置情報付きで放送する。
【００６４】
［実施の形態４］
図５は、本発明の実施の形態４に係る受信装置の構成を示す機能ブロック図である。本実施の形態４では、実施の形態３に係る放送局が災害情報を含ませて放送しているデータ放送を受信する受信装置の構成例が示されている。なお、図５では、図３と同一構成部分には、同一符号が付されている。
【００６５】
図５において、受信装置５１は、ＧＰＳ衛星３３が送信する位置信号から緯度経度情報を取得できる位置情報比較部５２を備えている。データ放送中の災害情報を表示するＢＭＬブラウザ５３は、この位置情報比較部５２によって起動されるようになっている。
【００６６】
受信装置５１では、受信者が当該番組を選局すると、受信装置内においてフロントエンド処理、トランスストリーム処理、デコード処理等が実施され、その処理された情報が位置情報比較部５２に渡される。
【００６７】
位置情報比較部５２では、まずＧＰＳ衛星３３の送信信号から現在の位置情報を取得する。次いで、その取得した自己の位置情報とＸＭＬ文書に含まれる位置情報とを比較し、ＸＭＬ文書中に自己位置周辺の情報が存在するか否か、つまり自己位置が災害地域に該当するか否かを判断する。
【００６８】
その結果、自己位置に関係する情報が存在する場合は、ＢＭＬブラウザ５３を自動的に起動し、災害地区用ＢＭＬ文書５４を自動的に起動する。このとき、バッファ部５５があるときには、位置情報比較部５２で取得された自己位置情報、ＸＭＬ文書から取得された自己位置周辺の情報をバッファリングしておく。
【００６９】
災害地区用ＢＭＬ文書５４は、自己位置に関係する詳細情報をＸＭＬ文書からフィルタリングを行い、必要な情報を表示する。必要により静止画、動画等も表示する。
【００７０】
もしくは、災害地区用ＢＭＬ文書５４は、バッファ部５５に自己位置情報と、自己位置周辺の詳細情報、関連の静止画、動画等が記憶されている場合には、バッファ部５５からそれらの情報を取得し提示する。
【００７１】
このように自己位置に関係する情報がある場合には、視聴していた番組から緊急避難情報の番組へ切り替わり、緊急避難の催促の表示が行われ、災害状況や安否情報の確認ボタンや避難場所の地図画面に遷移するボタンなどが表示されるようになっている。
【００７２】
一方、自己位置に関係する情報が存在しない場合は、ＢＭＬブラウザ５３は起動されず、受信者は、通常番組画面（映像・音声）５６を継続して視聴できる。
【００７３】
このように、この実施の形態４に係る受信装置によれば、実施の形態２に係る受信装置と同様にＧＰＳ等から取得した自己の位置情報を用いて、災害発生地区に該当する場合は避難情報等のデータ放送を自動的に受信し、災害発生地区に該当しない場合は通常のデータ放送を自動的に受信するように、それぞれの受信者の状況により最適なデータ放送の情報を表示・非表示することができる。
【００７４】
このとき、この実施の形態４では、自己位置とＸＭＬ文書中の位置情報との比較分岐指示を、ＢＭＬブラウザ以外の受信装置機能（位置情報比較部）で行うようにしたので、ＢＭＬブラウザの負荷を軽くでき、受信者への情報表示がスムーズに行えるようになる。なお、自己の位置情報は、ＧＰＳ衛星を利用する他に、携帯電話等によっても自己の位置情報を取り込むことが可能である。
【００７５】
［実施の形態５］
図６は、本発明の実施の形態５に係る放送局が放送する放送内容を説明する図である。本実施の形態５では、放送局が、データ放送サービスの一環として位置情報付きの災害情報を放送する位置連動型データ放送サービス方法の例３が示されている。なお、図６では、図２と同一構成部分には、同一符号が付されている。
【００７６】
図６において、放送局６１は、衛星・地上デジタル放送の送信設備２２を用いてデータ放送を行っている。放送局６１がこのデータ放送の一部として送出する災害情報は、ＸＭＬ文書６２とＢＭＬ文書２４とで構成されている。
【００７７】
ＸＭＬ文書６２は、この実施の形態５では、各詳細地域（位置）における郵便番号と災害情報、関連地図ファイル名等をＸＭＬで符号化した文書である。このとき、それらの情報に関係する静止画、動画等も併せて送出される。
【００７８】
一方、ＢＭＬ文書２４は、実施の形態１と同様に、Start Up ＢＭＬ文書２５と、災害地域用ＢＭＬ文書２６と、災害地域以外用ＢＭＬ文書２７とで構成されている。Start Up ＢＭＬ文書２５は、受信装置のブラウザを起動するとともに、受信装置に対して自己の位置情報（郵便番号）とＸＭＬ文書中の情報の位置情報（郵便番号）との比較を行って災害地域用ＢＭＬ文書２６と災害地域以外用ＢＭＬ文書２７とに分岐すべきことを指示する文書である。災害地域用ＢＭＬ文書２６と災害地域以外用ＢＭＬ文書２７は、受信装置においてStart Up ＢＭＬ文書から分岐指示を受けて、実際に情報を提示する文書である。
【００７９】
このように、実施の形態５では、放送局は、災害が発生した場合に、データ放送番組の放送中に任意のタイミングにおいて、災害発生地区向けの災害情報と、災害発生地区以外向けの災害情報とを郵便番号による位置情報付きで放送する。
【００８０】
［実施の形態６］
図７は、本発明の実施の形態６に係る受信装置の構成を示す機能ブロック図である。本実施の形態６では、実施の形態５に係る放送局が災害情報を含ませて放送しているデータ放送を受信する受信装置の構成例が示されている。なお、図７では、図３と同一構成部分には、同一符号が付されている。
【００８１】
図７において、受信装置７１は、ＮＶ-ＲＡＭ（永続記憶装置）を備えている家庭内の据置型受信装置であって、このＮＶ-ＲＡＭ（永続記憶装置）に予め自己地域の郵便番号が記憶されている。
【００８２】
また、受信装置７１においてデータ放送を表示するＢＭＬブラウザ７２は、位置情報を含むＸＭＬ文書ファイルの情報をフィルタリングして取り出すことのできるＡＰＩを備えている。
【００８３】
受信装置７１では、受信者が当該番組を選局すると、受信装置内においてフロントエンド処理、トランスストリーム処理、デコード処理等が実施され、その処理された情報がＢＭＬブラウザ７２に渡される。
【００８４】
ＢＭＬブラウザ７２では、Start Up ＢＭＬ文書７３が自動的に表示される。Start Up ＢＭＬ文書７３では、まず受信装置のＮＶ-ＲＡＭに記憶している自己地域の郵便番号を取得する。次いでその取得した自己地域の郵便番号と受信したＸＭＬ文書中の郵便番号とを比較し、ＸＭＬ文書中に自己位置周辺の情報が存在するか否か、つまり自己位置が災害地域に該当するか否かを判断する。
【００８５】
その結果、自己位置に関係する情報が存在する場合は、災害地区用ＢＭＬ文書３５を自動的に起動する。一方、自己位置に関係する情報が存在しない場合は、災害地区以外用ＢＭＬ文書３６を自動的に起動する。
【００８６】
災害地区用ＢＭＬ文書３５は、自己位置に関係する詳細情報をＸＭＬ文書からフィルタリングして取得し、必要な情報を表示する。必要により静止画、動画等も表示する。この場合には、視聴していた番組から緊急避難情報の番組へ切り替わり、緊急避難の催促の表示が行われ、災害状況や安否情報の確認ボタンや避難場所の地図画面に遷移するボタンなどが表示されるようになっている。
【００８７】
一方、災害地区以外用ＢＭＬ文書３６では、災害が発生していることのみ通知するデータ放送を表示する。この場合には、受信者は、番組（映像・音声）を継続して視聴できる。
【００８８】
このように、この実施の形態６に係る受信装置によれば、自己地域の郵便番号を用いて、実施の形態２と同様に、災害発生地区に該当する場合は避難情報等のデータ放送を自動的に受信し、災害発生地区に該当しない場合は通常のデータ放送を自動的に受信するように、それぞれの受信者の状況に応じて最適なデータ放送の情報を表示・非表示することができる。
【００８９】
なお、災害地区用ＢＭＬ文書３５と災害地区以外用ＢＭＬ文書３６への分岐指示は、実施の形態２と同様に、ＢＭＬブラウザ７２において行う場合を説明したが、実施の形態４と同様に、受信装置内のＢＭＬブラウザ以外の受信装置機能（比較検討部）において処理することも可能である。
【００９０】
［実施の形態７］
図８は、本発明の実施の形態７に係る放送局が放送する放送内容を説明する図である。本実施の形態７では、放送局が、データ放送サービスの一環として位置情報付きのジャンル情報を放送する位置連動型データ放送サービス方法の例４が示されている。なお、図８では、図２と同一構成部分には、同一符号が付されている。
【００９１】
図８において、放送局８１は、衛星・地上デジタル放送の送信設備２２を用いてデータ放送を行っている。放送局２１がこのデータ放送の一部として送出するジャンル情報は、ジャンル毎のＸＭＬ文書８２とＢＭＬ文書８３とで構成されている。ここで、ジャンル情報とは、放送局が予め当該受信装置用に取り決めているものであり、災害情報の他、ニュース、交通情報、レストラン情報、ショッピング情報等、受信者の嗜好に関係する様々な情報からなるものである。
【００９２】
ジャンル毎のＸＭＬ文書８２は、ジャンル毎に、そのジャンルの位置情報（緯度経度情報）、詳細情報、関連地図ファイル名等の情報をＸＭＬで符号化した文書である。このとき、それらの情報に関係する静止画、動画等も併せて送出される。ジャンル情報の具体例を挙げると、例えばレストラン情報では、各レストランの位置情報（緯度経度）とお店の詳細情報、そのお店へのアクセスルート情報等がレストラン毎に用意されている。
【００９３】
ＢＭＬ文書８３は、Start Up ＢＭＬ文書８４と、ジャンル毎の提示用ＢＭＬ文書８５とで構成されている。Start Up ＢＭＬ文書８４は、受信装置においてジャンル毎のＸＭＬ文書８２から選択された１つのＸＭＬ文書についての位置情報比較とジャンル毎の提示用ＢＭＬ文書８５への分岐指示を行う文書である。ジャンル毎の提示用ＢＭＬ文書８５は、Start Up ＢＭＬ文書８４の分岐指示を受けて、自己位置周辺の情報を提示する文書である。
【００９４】
このように、実施の形態７では、放送局は、データ放送番組の放送中に任意のタイミングにおいて、分岐指示機能を有するＢＭＬ文書と受信者の嗜好に関係する各種ジャンルのＸＭＬ文書とを緯度経度による位置情報付きで放送する。このとき、ジャンル情報の中に災害情報等の項目を設け、必要性（緊急性）に対する情報（フラグ）を併せて送れるようになっており、実施の形態１，３，５と同様に災害情報も、放送できるようになっている。
【００９５】
［実施の形態８］
図９は、本発明の実施の形態８に係る受信装置の構成を示す機能ブロック図である。本実施の形態８では、実施の形態７に係る放送局がジャンル情報を含ませて放送しているデータ放送を受信する受信装置の構成例が示されている。
【００９６】
図９において、受信装置９１では、受信者の嗜好の情報が予め受信装置にジャンルとして登録されている。また、受信装置９１においてデータ放送を表示するＢＭＬブラウザ９２は、位置情報を含むＸＭＬ文書ファイルの情報をフィルタリングして取り出すことのできるＡＰＩを備えている。このＢＭＬブラウザ９２は、ＡＰＩを通してＧＰＳ衛星３３が送信する位置信号から緯度経度情報が取得できるようになっている。
【００９７】
受信装置９１では、受信者が当該番組を選局すると、受信装置内においてフロントエンド処理、トランスストリーム処理、デコード処理等が実施され、その処理された情報がＢＭＬブラウザ９２に渡される。
【００９８】
ＢＭＬブラウザ９２では、Start Up ＢＭＬ文書９３が自動的に表示される。Start Up ＢＭＬ文書９３では、まず、予め受信装置に記憶してあるジャンル情報を元に、ジャンル毎のＸＭＬ文書から該当するジャンルのＸＭＬ文書を選択する。次いで、ＧＰＳ衛星３３の送信信号から現在の位置情報を取得し、選択したＸＭＬ文書の中から読み出した位置情報と比較し、自己位置周辺の情報の有無を判断する。
【００９９】
その結果、自己位置が選択したＸＭＬ文書の中から読み出した情報の位置に該当する場合には、つまり自己位置に関係する情報がある場合には、検索結果がジャンル毎の提示用ＢＭＬ文書９４により提示される。このとき、自己位置情報から取得された情報が複数のジャンルで存在する場合は、一覧表で一度提示した後、ジャンル毎の提示用ＢＭＬ文書９４により提示される。なお、バッファ部９５を備える場合には、必要により、Start Up ＢＭＬ文書９３での以上のような検索結果をバッファリングすることが行われる。
【０１００】
ジャンル毎の提示用ＢＭＬ文書９４では、自己位置に関係する情報を該当ジャンルのＸＭＬ文書から取得して表示する。併せて、詳細情報、関連する静止画、動画等も該当ジャンルのＸＭＬ文書から取得して表示する。
【０１０１】
このような情報提示後、受信者が提示終了の指示をＢＭＬブラウザ９２に与えると、再度Start Up ＢＭＬ文書９３が立ち上がり、現在の自己位置における情報をフィルタリングすることが行われるようになっている。
【０１０２】
一方、Start Up ＢＭＬ文書９３の分岐指示で、自己位置に関係する情報がない場合はＢＭＬブラウザは起動しない。つまり、受信者は、通常の番組画面（映像・音声）９６を継続して視聴できる。この場合には、その後タイマー処理等で、任意の間隔で、再度Start Up ＢＭＬ文書９３を読み込み、再び情報の検索を始めるようになっている。勿論、受信者が、強制的に再度Start Up ＢＭＬ文書９３を読み込むことも可能である。
【０１０３】
以上は、受信者の嗜好に関係するジャンル情報の受信であるが、Start Up ＢＭＬ文書９３は、災害情報等の必要性（緊急性）に対する情報（フラグ）があるときは、その情報（フラグ）に従って災害情報等の表示が行えるようになっている。
【０１０４】
このように、この実施の形態８に係る受信装置によれば、受信者の嗜好の情報を予め受信装置にジャンルとして登録し、自己の位置情報と登録されたジャンル情報に基づき、送られてくる情報の位置情報、ジャンル情報を自動的に検索することにより、受信者の位置と嗜好に適した最適の情報を表示、非表示することができる。
【０１０５】
また、ジャンル情報中の災害情報等は、必要性（緊急性）に対する情報（フラグ）を併せて送られてくるので、災害情報についても実施の形態２，４，６と同様に表示、非表示することができる。
【０１０６】
［実施の形態９］
図１０は、本発明の実施の形態９に係る放送局が放送する放送内容を説明する図である。本実施の形態９では、放送局が、データ放送サービスの一環として位置情報付きのジャンル情報を放送する位置連動型データ放送サービス方法の例５が示されている。なお、図１０では、図２と同一構成部分には、同一符号が付されている。
【０１０７】
図１０において、放送局１０１は、衛星・地上デジタル放送の送信設備２２を用いてデータ放送を行っている。放送局１０１がこのデータ放送の一部として送出するジャンル情報は、ジャンル毎のＸＭＬ文書８２とＢＭＬ文書１０２とで構成されている。
【０１０８】
ジャンル毎のＸＭＬ文書８２は、実施の形態７で説明したように、ジャンル毎に、そのジャンルの位置情報（緯度経度情報）、詳細情報、関連地図ファイル名等の情報をＸＭＬで符号化した文書である。このとき、それらの情報に関係する静止画、動画等も併せて送出される。ジャンル情報の具体例を挙げると、例えばレストラン情報では、各レストランの位置情報（緯度経度）とお店の詳細情報、そのお店へのアクセスルート情報等がレストラン毎に用意されている。
【０１０９】
一方、ＢＭＬ文書１０２は、この実施の形態９では、ジャンル毎の提示用ＢＭＬ文書１０３のみで構成されている。ジャンル毎の提示用ＢＭＬ文書は、受信装置にて分岐指示を受けて、実際に情報を提示する文書である。
【０１１０】
このように、実施の形態９では、放送局は、データ放送番組の放送中に任意のタイミングにおいて、受信装置側から分岐指示を受けるＢＭＬ文書と受信者の嗜好に関係する各種ジャンルのＸＭＬ文書とを緯度経度による位置情報付きで放送する。このとき、ジャンル情報の中に災害情報等の項目を設け、必要性（緊急性）に対する情報（フラグ）を併せて送れるようになっており、実施の形態１，３，５と同様に災害情報も、放送できるようになっている。
【０１１１】
［実施の形態１０］
図１１は、本発明の実施の形態１０に係る受信装置の構成を示す機能ブロック図である。本実施の形態１０では、実施の形態９に係る放送局がジャンル情報を含ませて放送しているデータ放送を受信する受信装置の構成例が示されている。
【０１１２】
図１１において、受信装置１１１では、受信者の嗜好の情報を予め受信装置にジャンルとして登録されている。また、受信装置１１１は、ジャンル情報・位置情報比較部１１２とデータ放送を表示するＢＭＬブラウザ１１３とを備えている。
【０１１３】
ジャンル情報・位置情報比較部１１２は、受信装置に予め登録してあるジャンル情報を元に、該当するジャンルのＸＭＬ文書を選択し、ＧＰＳ衛星３３が送信する位置信号から緯度経度情報（自己位置）を取得し、取り出したＸＭＬ文書中の情報の位置情報と比較・フィルタリングを行い、ＢＭＬブラウザ１１３を起動することを行う。ＢＭＬブラウザ１１３は、位置情報を含むＸＭＬ文書ファイルの情報をフィルタリングして取り出すことのできるＡＰＩを備えている。
【０１１４】
受信装置１１１では、受信者が当該番組を選局すると、受信装置内においてフロントエンド処理、トランスストリーム処理、デコード処理等が実施され、その処理された情報がジャンル情報・位置情報比較部１１２に渡される。
【０１１５】
ジャンル情報・位置情報比較部１１２では、まず、予め受信装置に記憶してあるジャンル情報を元に、ジャンル毎のＸＭＬ文書から該当するジャンルのＸＭＬ文書を選択する。次いで、ＧＰＳ衛星３３の送信信号から現在の位置情報を取得し、選択したＸＭＬ文書の中から読み出した位置情報と比較し、自己位置周辺の情報の有無を判断する。
【０１１６】
その結果、選択したＸＭＬ文書の中から読み出した情報の位置に自己位置が該当する場合には、つまり自己位置に関係する情報がある場合には、ＢＭＬブラウザ１１３を自動的に起動し、ジャンル毎の提示用ＢＭＬ文書１１４を自動的に起動する。このとき、自己位置情報から取得された情報が複数のジャンルで存在する揚合は、一覧表で一度提示した後、ジャンル毎の提示用ＢＭＬ文書１１４により提示される。なお、バッファ部１１５を備える場合には、必要により、ジャンル情報・位置情報比較部１１２で取得されたジャンル情報、自己位置情報、ＸＭＬ文書から取得された自己位置周辺の情報をバッファリングすることが行われる。
【０１１７】
ジャンル毎の提示用ＢＭＬ文書１１４では、自己位置に関係する情報を該当ジャンルのＸＭＬ文書から取得して表示する。併せて、詳細情報、関連する静止画、動画等も該当ジャンルのＸＭＬ文書から取得して表示する。
【０１１８】
このような情報提示後、受信者が提示終了の指示をＢＭＬブラウザ１１３に与えると、再度ジャンル情報・位置情報比較部１１２において、現在の自己位置における情報をフィルタリングすることが行われるようになっている。
【０１１９】
一方、ジャンル情報・位置情報比較部１１２の分岐指示で、自己位置に関係する情報がない場合はＢＭＬブラウザ１１３は起動されない。つまり、受信者は、通常の番組画面（映像・音声）１１６を継続して視聴できる。この場合には、その後タイマー処理等で、任意の間隔で、再度ジャンル情報・位置情報比較部１１２による処理が開始されるようになっている。勿論、受信者が、強制的に再度ジャンル情報・位置情報比較部１１２での処理が開始されるようにすることも可能である。
【０１２０】
このように、この実施の形態１０に係る受信装置によれば、受信者の嗜好の情報を予め受信装置にジャンルとして登録し、自己の位置情報と登録されたジャンル情報から、送られてくる情報の位置情報、ジャンル情報を自動的に検索することにより、受信者の位置と嗜好に適した最適の情報を表示、非表示することができる。
【０１２１】
このとき、この実施の形態１０では、自己位置とＸＭＬ文書中の位置情報との比較分岐指示を、ＢＭＬブラウザ以外の受信装置機能（ジャンル情報・位置情報比較部）で行うようにしたので、ＢＭＬブラウザの負荷を軽くでき、受信者への情報表示がスムーズに行えるようになる。なお、自己の位置情報は、ＧＰＳ衛星を利用する他に、携帯電話等によっても自己の位置情報を取り込むことが可能である。
【０１２２】
また、ジャンル情報の中に災害情報等は、必要性（緊急性）に対する情報（フラグ）を併せて送られてくるので、災害情報についても実施の形態２，４，６と同様に表示、非表示することができる。
【０１２３】
【発明の効果】
以上説明したように、本発明によれば、放送局がデータ放送サービスの一環として、位置情報とそれに付随する情報が含まれるジャンル情報を放送し、受信装置が位置情報や受信者への必要性、嗜好を判断し、受信者毎に適したデータ放送の情報を自動的に表示・非表示することができるようにしたので、今後、地上デジタル放送等の開始により、位置情報を含むデータ放送サービスが開始される際に、受信者の利便性、操作性、そして人命までも考慮した、より高度なデータ放送サービスの構築が可能となる。
【図面の簡単な説明】
【図１】本発明の位置連動型データ放送サービスを説明する原理図である。
【図２】本発明の実施の形態１に係る放送局が放送する放送内容を説明する図である。
【図３】本発明の実施の形態２に係る受信装置の構成を示す機能ブロック図である。
【図４】本発明の実施の形態３に係る放送局が放送する放送内容を説明する図である。
【図５】本発明の実施の形態４に係る受信装置の構成を示す機能ブロック図である。
【図６】本発明の実施の形態５に係る放送局が放送する放送内容を説明する図である。
【図７】本発明の実施の形態６に係る受信装置の構成を示す機能ブロック図である。
【図８】本発明の実施の形態７に係る放送局が放送する放送内容を説明する図である。
【図９】本発明の実施の形態８に係る受信装置の構成を示す機能ブロック図である。
【図１０】本発明の実施の形態９に係る放送局が放送する放送内容を説明する図である。
【図１１】本発明の実施の形態１０に係る受信装置の構成を示す機能ブロック図である。
【図１２】従来の現在位置情報を利用したデータ放送サービスを説明する図である。
【符号の説明】
２１，４１，６１，８１，１０１  放送局
２２  衛星・地上デジタル放送の送信設備
２３，６２  ＸＭＬ文書
２４，４２，８３，１０２  ＢＭＬ文書
３１，５１，７１，９１，１１１  受信装置
３２，５３，７２，９２，１１３  ＢＭＬブラウザ
３３  ＧＰＳ衛星
３４，７３，９３  ＢＭＬブラウザが最初に読み込むStart Up ＢＭＬ文書
３５  Start Up ＢＭＬ文書で分岐指示を受ける災害地区用ＢＭＬ文書
３６  Start Up ＢＭＬ文書で分岐指示を受ける災害地区以外用ＢＭＬ文書
５２  位置情報比較部
５４  位置情報比較部で提示指示を受けた災害地区用ＢＭＬ文書
５５  位置情報比較部で取得したデータを一時的に記憶するバッファ部
５６  位置情報比較部で提示指示を受けた通常の番組画面（映像・音声）
８２  ジャンル毎のＸＭＬ文書
９４  Start Up ＢＭＬ文書で分岐指示を受けたジャンル毎の提示用ＢＭＬ文書
９５  Start Up ＢＭＬ文書での検索結果を一時的に記憶するバッファ部
９６  Start Up ＢＭＬ文書で分岐指示を受けた通常の番組画面（映像・音声）
１１２  ジャンル情報・位置情報比較部
１１４  ジャンル情報・位置情報比較部で提示指示を受けたジャンル毎の提示用ＢＭＬ文書
１１５  ジャンル情報・位置情報比較部で取得したデータを一時的に記憶するバッファ部
１１６  ジャンル情報・位置情報比較部で提示指示を受けた通常の番組画面（映像・音声）
【図１】
0004263377.tif 000002
【図２】
0004263377.tif 000003
【図３】
0004263377.tif 000004
【図４】
0004263377.tif 000005
【図５】
0004263377.tif 000006
【図６】
0004263377.tif 000007
【図７】
0004263377.tif 000008
【図８】
0004263377.tif 000009
【図９】
0004263377.tif 000010
【図１０】
0004263377.tif 000011
【図１１】
0004263377.tif 000012
【図１２】
0004263377.tif 000013